(57)【特許請求の範囲】
【請求項１】
内視鏡に観察のための照明光を発生するランプと、該ランプを点灯させるランプ点灯電源を供給するランプ点灯回路とを有する内視鏡光源装置における前記ランプが点灯している時に２端子に微小な電流値の直流電圧を印加するランプ寿命計ソケットに着脱自在なランプ寿命計において、
前記ランプ寿命計ソケットの２端子にその直流電圧が印加された時間を検出してランプの寿命を表示する手段を電池を電源として形成したことを特徴とするランプ寿命計。
【請求項２】
内視鏡に観察のための照明光を発生するランプと、該ランプを点灯させるランプ点灯電源を供給するランプ点灯回路とを有する内視鏡光源装置における前記ランプが点灯している時に２端子に微小な電流値の直流電圧を印加するランプ寿命計ソケットに着脱自在なランプ寿命計において、
前記ランプ寿命計ソケットの２端子にその直流電圧が印加された時間を検出しててランプの寿命を表示する寿命表示デバイスと、該寿命表示デバイスを駆動する駆動回路と、前記寿命表示デバイス及び駆動回路に動作電源を供給する電池とを設けたことを特徴とするランプ寿命計。
【請求項３】
内視鏡に観察のための照明光を発生するランプと、該ランプを点灯させるランプ点灯電源を供給するランプ点灯回路と、前記ランプが点灯している時に２端子に微小な電流値の直流電圧を印加するランプ寿命計ソケットとを有する内視鏡光源装置において、
前記ランプ寿命計ソケットの２端子にその直流電圧が印加された時間にほぼ比例して電解液が移動することにより、ランプの寿命を表示する第１のランプ寿命計の代わりに、電池を電源として電気的にランプの寿命を表示する第２のランプ寿命計を着脱自在に設けたことを特徴とする内視鏡光源装置。
【発明の詳細な説明】
【０００１】
【発明の属する技術分野】
本発明は内視鏡に供給する照明光を発生するランプの寿命を表示するランプ寿命計及び内視鏡光源装置に関する。
【０００２】
【従来の技術】
近年、内視鏡は医療用分野及び工業用分野にて広く用いられるようになった。この内視鏡は導光手段を有し、外部の内視鏡光源装置内のランプで発生した照明光を導光して、挿入部の先端部から出射し、体腔内或いはプラント内部等を照明し、観察手段で観察することができるようになっている。
【０００３】
このように内視鏡光源装置には、体腔内等を観察するための照明光を内視鏡に供給する為のキセノンランプ（或いはハロゲンランプ、メタルハライドランプ等）のランプが装着されている。これらのランプは消耗品であり、例えばキセノンランプでは約５００時間で寿命となり、新しいランプに交換する必要が出てくる。
【０００４】
特に診断に支障を与えない様に、ユーザに対してはランプの寿命を早く告知する必要がある。これらの事情を解決する為に、従来からランプの使用時間を積算し表示する積算通電時間計（以下、ランプ寿命計と称す）を使用している。
【０００５】
図１６と図１７に従来例のランプ寿命計８１の外観等と原理図を示す。図１６（Ａ）及び（Ｂ）は従来のランプ寿命計８１の正面図と側面図を示したものであり、樹脂のケースに覆われ目盛り８２が印刷されている。図面では目盛りは最大５００時間を表示できる仕様である。ランプ寿命計８１の本体の下部にはランプ寿命計８１に電源を通電する為の正の入力端子８４と、負の入力端子８５が設けられている。
【０００６】
図１７に動作の原理図を示す。従来のランプ寿命計８１はガラス管８６に、水銀８７と電解液８８が封入されており、電極間（入力端子８４、８５）に直流電圧を印加すると、電解液８８を通して「＋」側から「−」側に水銀８７が電解析出し、電解液８８が「−」側から「＋」側に移動する方式を採用している。
電解液８８の移動距離は通電電気量に比例するため、電流を一定にすることにより通電時間を積算表示することができる。
【０００７】
従来例では、ランプ寿命計８１に約１５μＡの微小な電流値の直流電圧を供給する回路を構成し、光源装置本体とランプ寿命計８１をソケットで接続し、ユーザが着脱可能な構造としている。
なお、従来例の光源装置本体は本実施の形態でも説明する図２に示す光源装置本体２と同じ構成である。
【０００８】
ランプ寿命計８１への電源供給は、ランプ点灯回路１２（図２参照）に設けられており、ランプ１１が点灯するとランプ寿命計ソケット６ａ（又は６ｂ）にランプ寿命計８１を駆動するに適した約１５μＡの電流を供給するよう構成されている。
この様な構成、原理により従来のランプ寿命計は動作していた。
従来の水銀を使用したランプ寿命計８１は、十数年前から内視鏡用光源装置に使用されている。使用するに至った主な理由は次の通りである。
【０００９】
ａ．使用方法（駆動方法）が極めて簡単である。
ｂ．コンパクトである。
ｃ．比較的低価格である。
ｄ．通電時間の積算と表示が容易に実現できる。
【００１０】
内視鏡用光源装置は周知の通り、内視鏡に光を供給し、体腔内を観察、処置を行うには必須の装置であり、全世界の多くの病院等で使用されている（医療用とは別に、工業用の内視鏡システムもあり、航空機のエンジン、ガスタービン等の検査に使用している）。
【００１１】
前記内視鏡用光源装置に使用されているランプは使用時間と共に消耗するのが一般的であり、光源の光量（内視鏡先端から出射される光量）も使用時間と共に低下していく。ランプの寿命とは一般的に光量低下、不点灯を言う。
【００１２】
内視鏡を使用している間にランプの寿命がくると、診断、手術が続行出来なくなる可能性があり、患者、ドクタ等に大きな影響を与える。これらのリスクを最小限に押さえる為に、従来より内視鏡光源装置にはランプ寿命計が搭載されており、使用前にランプの寿命を確認することが出来、事前に新しいランプに交換出来る様になっている。
【００１３】
【発明が解決しようとする課題】
近年、水銀は環境破壊などの問題により使用が制限されつつあり、水銀の入手、精製する工場の存続等が難しい状況になっている。特に従来のランプ寿命計には９９．９９％という高純度の水銀が使用されており、高度な水銀精製技術を有するメーカーも少なくなっている。最近では既に水銀を精製するメーカーも廃業になる状況であり、従来のランプ寿命計の生産も継続不可能な状況になっている。
【００１４】
従来のランプ寿命計が環境問題等の理由により供給できない事態は内視鏡を使用しているユーザに対しては重大な問題であり、前記のリスクを回避できない可能性がある。
【００１５】
（発明の目的）
本発明は、上述した点に鑑みてなされたもので、従来のランプ寿命計と互換性のあるランプ寿命計及びそのランプ寿命計を装着した内視鏡光源装置を提供する事を目的とする。
【００１６】
【課題を解決するための手段】
内視鏡に観察のための照明光を発生するランプと、該ランプを点灯させるランプ点灯電源を供給するランプ点灯回路とを有する内視鏡光源装置における前記ランプが点灯している時に２端子に微小な電流値の直流電圧を印加するランプ寿命計ソケットに着脱自在なランプ寿命計において、
前記ランプ寿命計ソケットの２端子にその直流電圧が印加された時間を検出してランプの寿命を表示する手段を電池を電源として形成したことにより、従来のランプ寿命計と互換性のあるランプ寿命計を提供できる。
【００１７】
また、内視鏡に観察のための照明光を発生するランプと、該ランプを点灯させるランプ点灯電源を供給するランプ点灯回路と、前記ランプが点灯している時に２端子に微小な電流値の直流電圧を印加するランプ寿命計ソケットとを有する内視鏡光源装置において、
前記ランプ寿命計ソケットの２端子にその直流電圧が印加された時間にほぼ比例して電解液が移動することにより、ランプの寿命を表示する第１のランプ寿命計の代わりに、電池を電源として電気的にランプの寿命を表示する第２のランプ寿命計を着脱自在に設けたことにより、従来のランプ寿命計と互換性のあるランプ寿命計を装着して使用できる内視鏡光源装置を提供できる。
【００１８】
【発明の実施の形態】
以下、図面を参照して本発明の実施の形態を説明する。
（第１の実施の形態）
図１ないし図１５は本発明の１実施の形態に係り、図１は１実施の形態のランプ寿命計を備えた内視鏡光源装置を示し、図２は内視鏡光源装置の全体構成を示し、図３はランプ寿命計の外観等を示し、図４はランプ寿命計の電気系の概略の構成を示し、図５はランプ寿命計の内部構成等を示し、図６は電池ホルダの構成を示し、図７は電池と電池ホルダとを絶縁する構造を示し、図８はランプ点灯回路の具体的回路構成を示し、図９はワンチップ・マイコンを用いたランプ寿命計の具体的な回路構成を示し、図１０はワンチップ・マイコンの内部構成を示し、図１１はＬＣＤの駆動動作例を示し、図１２は通常モードでのＬＣＤ表示例を示し、図１３は検査モードでのＬＣＤ表示例を示し、図１４はメインルーチンの処理内容を示し、図１５はタイマ割り込みルーチンの処理内容を示す。
【００１９】
図１に示すように本発明の１実施の形態を備えた内視鏡光源装置１は光源装置本体２とこの光源装置本体２に着脱自在の１実施の形態のランプ寿命計３とからなる。
光源装置本体２の前面には図示しない内視鏡のコネクタ受け４が設けられ、内視鏡のライトガイドコネクタ５が着脱自在であり、図２に示すようにライトガイドコネクタ５が接続された場合には、照明光を供給する。
【００２０】
この光源装置本体２の前面の例えば下部側の位置にランプ寿命計ソケット６ａが設けてあり、ランプ寿命計３を装着できるようにしている。また、この光源装置本体２の裏面にランプ寿命計ソケット６ｂを設けてたものもあり、ランプ寿命計３を装着できるようにしている。この光源装置本体２自体は既存の光源装置本体２と同じ構成であり、この光源装置本体２に従来例の寿命計８１を装着すると従来例の内視鏡光源装置となる。
【００２１】
図２に示すようにこの内視鏡光源装置（以下、単に光源装置ともいう）１は、コネクタ受け４に接続されたライトガイドコネクタ５に供給する照明光を発生する例えばキセノンランプ等のランプ１１と、このランプ１１に点灯させる点灯電源を供給するランプ点灯回路１２と、ランプ点灯回路１２等の各回路に動作電源を供給する為の電源回路１３と、光源装置本体２のフロントパネル部に設けられた各種スイッチと表示手段（ＬＥＤ表示器等）からなる表示パネル１４と、この表示パネル１４からの信号を受け、ランプ点灯回路１２を介してランプ１１の点灯、消灯及び調光制御等を行う制御ユニット１５と、ランプ１１の照明光を集光して内視鏡のライトガイドコネクタ５へ供給するコンデンサレンズ１６と、ライトガイドコネクタ５へ供給する照明光の光量を制御する絞り羽根１７と、この絞り羽根１７の開口量を調整する絞り駆動回路１８と、ランプ１１の付近に配置され、ランプ１１で発生した熱を放熱（冷却）する冷却用ファン１９と、ランプ点灯回路１２と接続されたランプ寿命計ソケット６ａ（或いは６ｂ）等から構成され、電源回路１３にはＡＣプラグ２０を介して商用電源が供給されるようになっている。
【００２２】
上記ランプ点灯回路１２には、ランプ１１が点灯している事を検知し、点灯している期間のみ信号を出力する回路が設けられており、その出力がランプ寿命計ソケット６ａ（或いは６ｂ）に出力される構成となっている。以下ではランプ寿命計ソケット６ａの場合で説明する。
【００２３】
ランプ寿命計３への電源供給は、ランプ点灯回路１２（もしくは制御ユニット１５内）に設けられており、ランプ１１が点灯するとランプ寿命計ソケット６ａにランプ寿命計３を駆動するに適した約１５μＡの電流を供給するよう構成されている。
【００２４】
図３はランプ寿命計３の外観を示し、図３（Ａ）は正面図、図３（Ｂ）は側面図を示す。
このランプ寿命計３は略長方形の板形状で、上面（表面、前面）は上カバー２１で、下面（裏面）は下カバー２２で覆われ、その外観寸法は既存（従来例）のランプ寿命計８１とほぼ同寸法になっている。また、このランプ寿命計３の裏面には正「＋」の入力端子２４、負「−」の入力端子２５が突設され、これら、入力端子２４、２５の端子形状、端子間距離は従来例と同寸法になっており（従来例のランプ寿命計８１の代わりに）ランプ寿命計ソケット６ａにそのまま装着可能である。
【００２５】
このランプ寿命計３の上面には、ランプ１１の使用時間の積算値を表示することにより、その寿命を表示する表示手段を、液晶表示デバイス（ＬＣＤと略記）２６で構成している。
【００２６】
このＬＣＤ２６は上カバー２１の中央付近の長方形状窓に設けてあり、例えばライン状のＬＣＤドット表示部２７により例えば５０時間毎にドット表示部２７が移動する構成である。
【００２７】
本実施の形態では積算開始から３００時間までは１ドット／５０時間、３００時間から５００時間までは１ドット／１００時間、５００時間以上は再上位が１ドット点滅する使用である。これらの積算表示の間隔（単位）は必要に応じて任意の設定でもよい。
【００２８】
図４はランプ寿命計３の電気系のブロック構成図を示す。基本的構成は、前記入力端子２４、２５からの信号により積算時間をカウントし、ＬＣＤ２６に表示信号を出力するＣＰＵ（ワンチップマイコン）３１と、該ＣＰＵ３１の積算手段に対する時間経過の基本クロックを発生させる水晶発振器等の発振器（図４ではＯＳＣ）３２と、積算時間を表示するＬＣＤ（図５ではＬＣＤパネル）２６と、前記ＣＰＵ３１等を駆動する電源と積算時間のバックアップをする為の電源を供給する電池３３と、光源装置本体２からのランプ点灯信号を受ける為の入力端子２４、２５とを有する。
【００２９】
前記ＣＰＵ３１は各種人出力ポート、メモリを搭載したワンチップマイコンを採用しており、入力ポートに前記ランプ点灯信号を印加し、出力ポートにＬＣＤ２６を接続している。また、本実施の形態のランプ寿命計３の動作をチェックする為のチェック用端子３４，３５が、前記ＣＰＵ３１に接続され、ランプ寿命計３の外部からアクセス可能になっている。
【００３０】
従来のランプ寿命計８１は約１５μＡの微小な電流値により動作するようにしており、光源装置本体２のランプ寿命計ソケット６ａからは最大約１５μＡの電流しか出力されない構成になっており、これ以上の電流は供給できないという制約条件がある。
【００３１】
この制約条件を保持して互換性を持たせたランプ寿命計３の仕様は以下の通りである。
ａ．光源装置本体２からのランプオン信号（約１５μＡ）が入力されると積算時間をカウントする。
ｂ．積算時間をカウントしている間は積算時間表示する。
ｃ．ランプオン信号（約１５μＡ）が遮断されると積算時間のカウントは停止し、その時点の積算時間をバックアップする。
ｄ．再度光源装置本体２からのランプオン信号（約１５μＡ）が入力されると、前回バックアップした積算時間から積算を開始し積算時間をカウントする。
【００３２】
ｅ．積算時間は５００時間までで、それ以上は最上位のＬＣＤドット表示部２７を表示すること（但し、この仕様は使用する光源装置本体２により決定される為、任意でよい）。
ｆ．電池寿命は連続積算動作状態で５００時間以上、及びＬＣＤ表示無し（スタンバイ状態）で２年以上あること（但し、この仕様は使用する光源装置本体２により決定される為、任意でよい）。
ｇ．電池３３が消耗しないように使用前（初めて動作させる場合）は電源を遮断させる。
ｈ．外観形状は従来のランプ寿命計の寸法とほぼ同等であること。
【００３３】
これらの仕様を満足するために、本実施の形態では回路駆動用の電源としてボタン型の電池３３を使用してモジュール化されており、且つ以下の構成にしている。
回路的な構成では、前記ＣＰＵ３１は低消費電力タイプを使用しており、動作時で５０〜３０μＡ、スリープモード時（待機時）で２〜１μＡの物を採用している。またプルアップ抵抗等による消費電力増加を低減する為に各ポートはプルダウンする回路を採用している。ＬＣＤ２６においては０．５〜１μＡのタイプを使用している。
使用前の電池３３の通電の遮断に関しては、電池３３の端子と電池ホルダの端子の間に絶縁手段を設けることで対応している。
【００３４】
詳細構造を図５等を参照して以下に説明する。図５（Ａ）は縦断面図、図５（Ｂ）は入力端子部分での横断面図、図５（Ｃ）は裏面図、図５（Ｄ）は図５（Ｃ）の配置状態での断面図、図５（Ｅ）は絶縁テープ部分での断面図を示す。
【００３５】
図５に示すようにランプ寿命計３はケース構造になっており、表示面側の上カバー２１とソケット６ａに挿入する側の下カバー２２によりワンタッチで嵌合できる構造を有している。
【００３６】
上カバー２１側はＬＣＤ２６のドット表示部２７が見える様に開口部が設けられており、ＬＣＤパネル２６と、導電性ゴム（例えば商品名ゼブラゴム）４０と電気部品等が実装されている基板４１が収められ、前記下カバー２２により蓋がされて封止されている。
【００３７】
前記基板４１にはＣＰＵ３１、発振器３２、電池ホルダ４２、電池３３、コンタクトピン（入力端子２４、２５）及びその他抵抗、コンデンサなどの部品が実装されている。基板４１上には前記ＬＣＤパネル２６と導電性ゴム（４０とＣＰＵ３１の出力ポートを電気的に接続する為のパターンが設けられており、これらは前記上カバー２１及び下カバー２２をワンタッチで嵌合する際の圧力で接続されるよう構成されている。
【００３８】
前記下カバー２２には前述したランプ寿命計３の動作をチェックする際に使用するチェック用のチェック端子３４、３５にアクセスできる検査用孔４３が設けられており、製造過程での検査、修理時の検査などに使用される。
また、（ランプ寿命計３を使用する前の状態では）図５（Ｄ）及び図５（Ｅ）に示すように電池ホルダ４２と電池３３はフィルム状の絶縁テープ４４で絶縁して、電池３３の消耗を防止している。
【００３９】
図６は電池ホルダ４２と電源絶縁構造の詳細を示す。図６（Ａ）は図５（Ｄ）における電池ホルダ部分を示し、図６（Ｂ）はその縦断面図、図６（Ｃ）は図６（Ａ）の図を用いて絶縁テープ４４で電池３３と電池ホルダ４２を絶縁している状態を示す。
【００４０】
図６に示すように電池ホルダ４２は、電池ホルダ本体５１と、電極バネ５２ａと、電極バネ５２ｂから構成されており、前記電極バネ５２ａには電池ホルダ４２を基板４１に実装する為の基板実装用端子５３が設けられている。本構成により電池ホルダ４２は自動基板実装機を使用することができる。
【００４１】
更に電池ホルダ本体５１には電池３３と電極バネ５２ａの間に絶縁テープ４４を挿入し、後に引き抜くことができるテープ挿入孔５４が設けられている。絶縁テープ４４を取り付けた場合の構造を図７（Ａ）及び図７（Ｂ）に示す。なお、図７（Ａ）及び図７（Ｂ）は図５（Ｄ）と図５（Ｅ）と同じであり、図７（Ｃ）〜（Ｅ）は絶縁テープ４４の具体例を示す。なお、図７（Ｃ）〜（Ｅ）の「→」は絶縁テープ４４の引き抜き方向を示している。
【００４２】
図７（Ｃ）〜（Ｅ）に示すように絶縁テープ４４にはその絶縁材からなるテープの中央に開口部５５もしくは導電部材５６等の導通手段が設けられており、テープの位置を移動させることにより、前記電池ホルダ４２の電極バネ５２ａと電池３３とが電気的に導通できる構成になっている。
【００４３】
また、絶縁テープ４４の形状としては手で操作しやすい型（５７で示す四角型）や、テープを移動する方向を示す手段を持った矢印型５８やテープが挿入されていることがすぐ判断出来るように着色した物（図示無し）がある。
【００４４】
更に図７（Ｅ）に示すようにテープを指定した位置で切断できるミシン目５９を設けた物も使用可能である。
【００４５】
動作プログラム的には入力端子２４，２５にランプ点灯信号が入力された時のみ動作し、ＬＣＤ２６を表示させ、ランプ点灯信号が遮断されている時はスリープモード（待機状態）にし消費電力を押さえるプログラムになっている。
更にＬＣＤ２６の点灯に関しては、動作時に常時点灯させるのではなく、点滅動作させ同じく消費電力を低減するプログラムを有している。
【００４６】
上述のように寿命計３は図２に示す光源装置本体２のランプ寿命計ソケットに着脱自在で接続され、ランプ１１が点灯すると前記電源回路１３によりランプ寿命計３を駆動するに適した電源がランプ寿命計ソケット６ａに供給される。
【００４７】
図８はランプ１１としてキセノンランプを点灯させるランプ点灯回路１２の具体的な回路構成を示す。ＰＷＭ方式のスイッチングレギュレータ方式であり、ランプ１１に流れる電流をフィードバックし、定電流でキセノンランプの点灯を制御している。
【００４８】
１次回路の構成としては、ＡＣ入力は平滑用ダイオードＤＢ１で整流され、平滑用コンデンサＣ１、Ｃ２で平滑化される。ＰＷＭコントロールＩＣ  ＩＣ１は抵抗Ｒ１を経てスイッチングトランジスタＴＲ１のゲートに接続され、そのソーソドレイン側にインバータトランスＴ１の１次巻線が接続されている。また、ＰＷＭコントロールＩＣ  ＩＣ１はフォトカプラＰＣ１に接続され、フォトカプラＰＣ１のフォトトランジスタは抵抗Ｒ２を介して電源端に接続されている。
【００４９】
２次回路の構成としては平滑用コンデンサＣ３、Ｃ４、平滑用ダイオードＤ１、Ｄ２、チョークＬ１等がある。抵抗Ｒ４とコンデンサＣ５の直列回路はランプ点灯を効率良く行う為の重畳電流を供給する為の回路である。また、Ｔ２は点灯時に高圧を印加するためのコイルでイグナイタに接続されている。
【００５０】
ランプ１１が点灯すると電流検出用抵抗Ｒ１０の両端に電圧が発生し、フォトカプラ駆動用のＩＣ２を介してフォトカプラＰＣ１を駆動し、該フォトカプラＰＣ１を経由してコントロールＩＣ（ＩＣ１）にフィードバックがかかり定電流でランプ１１は点灯する。なお、ＩＣ２は抵抗Ｒ５〜Ｒ９が接続されている。
【００５１】
ランプ寿命計３への電源供給は、比較器ＩＣ３の出力電圧に電流制御用の抵抗Ｒ１５を介して供給されるように構成されており、ランプ１１が点灯すると前記電流検出用抵抗Ｒ１０の両端に発生した電圧が、抵抗Ｒ１１を介して比較器ＩＣ３の非反転入力端子に入力され、抵抗Ｒ１２、Ｒ１３で分割して設定した基準電圧と比較される事により、比較器ＩＣ３の出力が「Ｌ」レベルから「Ｈ」レベルに変化される。
【００５２】
この「Ｈ」レベル時に電源端に直列に抵抗Ｒ１４と接続された抵抗Ｒ１５は従来のランプ寿命計を駆動するに適した約１５μＡの電流をランプ寿命計ソケット６ａに供給する値に設定されている。
また、このランプ寿命計ソケット６ａに接続されるランプ寿命計３のより具体的な回路構成を図９に示す。
【００５３】
図９に示すランプ寿命計３は、例えばＣＰＵ３１がワンチップ・マイコンＰＩＣ（より具体的にはＰＩＣ１６ＬＣ５５４）が採用され、入力に応じた時間の積算と、ＬＣＤ２６のドライブを行う。なお、電源ＶＤＤとグランドとの間にはコンデンサＣ１１が接続されている。
【００５４】
この回路各部の詳細を以下に説明する。
Ｗ１のパッドには、導電ゴム（ゼブラゴム）４０を介してＬＣＤ２６、つまり液晶表示パネルが接続される。
【００５５】
Ｗ５〜Ｗ８のパッドには、電池ホルダ４２を介して酸化銀電池３３が２個直列に接続され、３．１［Ｖ］を供給する。
・電池３３から供給された３．１［Ｖ］は、逆流防止ダイオードＤ４により電圧降下し、ワンチップ・マイコンＰＩＣの電源ＶＤＤとして約２．８［Ｖ］が供給される。
【００５６】
Ｊ１（ＭＡＩＮ＿ＬＡＭＰ＿ＯＮ）に２４０［ＫΩ］のインピーダンスを持った＋５［Ｖ］の入力（光源装置本体２のランプ寿命計ソケット６ａから供給される信号）が行われると、ワンチップ・マイコンＰＩＣの７ｐｉｎには、抵抗Ｒ２１及び光源装置本体２側の出力回路により電圧降下した２．２〜２．８［Ｖ］位の電圧が入力される。
【００５７】
抵抗Ｒ２１，Ｒ２２のプルダウン抵抗は、入力が無い時に入力ピンをＧＮＤ電位に安定させるために入れており、プルアップしていない理由は、電池３３の消耗を防ぐための対策である。
【００５８】
発振器３２を構成する水晶発振器Ｙ１は、ワンチップ・マイコンＰＩＣのクロック発生用に使用される。電池３３の消耗を防ぐため音叉型の３２．７６８［ＫＨｚ］のものを使用している。また、コンデンサＣ１２、Ｃ１３等とで発振回路を構成している。
【００５９】
Ｗ３のパッドに＋５［Ｖ］を２４０［ＫΩ］のインピーダンスで供給するとデバッグモードに移行し、ＬＣＤ２６や内部回路の動作確認が行える（この機能が前述した検査モードである）。
Ｗ２とＷ４のパッドをショートすると、光源装置本体２に接続せずに、ランプ寿命計３単体で、ランプ点灯した積算時間を表示することができる。
【００６０】
図１０は参考にワンチップ・マイコンＰＩＣの内部構成を示したものである。基本的には、ＰＲＯＭ６１、ＲＡＭ６２、Ｉ／Ｏ  Ａ６３ａ、Ｉ／Ｏ  Ａ６３ｂ、各種レジスタ、タイマ６４、発振ユニットなどより構成されている。
【００６１】
動作可能時間に関して、酸化銀電池３３は、１個当り５５［ｍＡｈ］のものを２個使用しているため、１１０［ｍＡｈ］の容量を持っている。
電池３３は使用しなくても、５年後には、自然放電により初期性能の７０％に減少してしまう。
【００６２】
ワンチップ・マイコンＰＩＣは、省電力を狙い、ＬＰモード，Ｗａｔｃｈ  Ｄｏｇ  Ｔｉｍｅｒ  Ｏｆｆ，入出力プルアップ無，電源電圧２．８［Ｖ］にセットしているため、動作時でＴｙｐ２６［μＡ］Ｍａｘ５３［μＡ］，Ｓｌｅｅｐ時でＴｙｐ０．７［μＡ］Ｍａｘ２［μＡ］の消費電流となっている。
また、ＬＣＤ２６は、Ｍａｘで１．３［μＡ］の消費電流となっている。
【００６３】
以上のことから最悪の場合を想定した動作可能時間は、以下のようになる。
動作可能時間
連続動作時…１１０ｍＡｈ／（５４．３μＡ×１ｈ）＝２０２５ｈ＜１４１７ｈ＞
ＳｌｅｅＰ時…１１０ｍＡｈ／（２μＡ×１ｈ）＝５５０００ｈ＜３８５００ｈ＞
５００ｈ動作，残りＳｌｅｅＰ時（（１１０ｍＡｈ−（５００ｈ×５４．３μＡ））／（２μＡ×１ｈ）＝４１４２５ｈ＜２８９９８ｈ＞
注＜＞内の時間は、５年間電池３３を放置してから使用を始めた場合の動作可能時間。
【００６４】
（最悪条件）
実際には、最悪条件になることは殆ど無いため、動作可能時間はもっと長くなる。
参考として動作時の実測値    ２０μＡ以下
Ｓｌｅｅｐ時の実測値    ０．１μＡ以下
通常モード時の表示例を図１２に示す。
【００６５】
ワンチップ・マイコンＰＩＣによってドライブされるＬＣＤ２６は、図１１のタイミングチャートのように、点灯させたいドットとＣＯＭ間の電位を１秒間に３２回反転させることでドットの表示を行う。また、ドットの表示は、電池３３を出来るだけ長く持たせるために１秒点灯−１秒消灯の点滅表示としている。ドットの表示は、ランプ１１の点灯時間に応じて図１２のように変化する。
【００６６】
また、検査モード時の表示例を図１３に示す。
【００６７】
ＤＥＢＵＧ＿ＭＯＤＥパッドに２４０［ＫΩ］のインピーダンスで＋５［Ｖ］を供給すると検査モードに移行し、図１３のような検査モードの表示となる。検査モード時は電源の供給を断たない限り、表示のリセットは行わない仕様になっている。
【００６８】
次に内部プログラムのアルゴリズムを説明する。
【００６９】
まず、メインルーチンを図１４に示す。
電池３３が接続され、電源が供給されると、ワンチップ・マイコンＰＩＣに電源ＯＮリセットが掛かり、プログラムがスタートする。
【００７０】
そして、プログラムがスタートとステップＳ１に示すように変数領域や、定数のセットなどの初期化を行う。
【００７１】
次のステップＳ２で、ワンチップ・マイコンＰＩＣはＭＡＩＮ＿ＬＡＭＰ＿ＯＮ信号の入力を判断する。そして、この信号が入力されていない「Ｌ」レベルだった場合は、ステップＳ３に示すようにワンチップ・マイコンＰＩＣは省電力で動作させるためにＳＬＥＥＰモードに移行する。
【００７２】
ＳＬＥＥＰモードにおいては、ステップＳ４の入力変化の割り込みの有無を判断し、その割り込みが無とそのＳＬＥＥＰ状態を続行し、入力変化の割り込みが有った時に、ステップＳ２に戻り、ＮＯＭＡＬモードに復帰する。
【００７３】
一方、ステップＳ２のＭＡＩＮ＿ＬＡＭＰ＿ＯＮ信号の入力があり、「Ｈ」レベルの場合にはステップＳ５のＤＥＢＵＧ信号入力を検査する。そして、このＤＥＢＵＧ信号が入力していない「Ｌ」レベルだった場合はステップＳ２に戻り、「Ｈ」レベルだった場合は、ステップＳ６の検査モードフラグ（ＤＦＬＧ）に１セットしてステップＳ２に戻る。
【００７４】
このようにステップＳ２〜Ｓ６を繰り返す。繰り返しの間、１／３２秒毎にタイマ割り込みが掛かり、割り込みルーチンに分岐する。
次にタイマ割り込みルーチンを図１５を参照して説明する。
【００７５】
タイマ割込みルーチンにジャンプした場合、最初にレジスタを別の領域にコピーして、ステップＳ１１のレジスタ退避の処理を行う。
次にステップＳ１２の全割込みを停止させ、割込み処理の間、再割込みが起こらないようにする。
【００７６】
次にステップＳ１３のタイマカウントをセットし、再度、１／３２秒のタイマ割込みを行えるようにする。
そして、ステップＳ１４のタイマ割込みを開始する。
次にステップＳ１５のコピーしておいたレジスタ内容をレジスタにコピーし、レジスタを復帰させる処理を行う。
【００７７】
次にステップＳ１６の通常モードが検査モードかをＤＦＬＧの内容により判断する。そして、ＤＦＬＧの内容が０の場合には通常モードに、ＤＦＬＧの内容が１の場合には検査モードにそれぞれ分岐する。
【００７８】
通常モードだった場合、ステップＳ１７の表示モードのセット、つまり表示を下記の３種類の中からフレーム数，秒数，経過時間から算出し、ステップＳ１８のＬＣＤの表示を行う。その後、ステップＳ１９の時間の積算を行う。そして、メインルーチンに復帰する。
【００７９】
ｉ）ドット非表示（偶数秒）
ｉｉ）ドット表示（奇数秒，奇数フレーム）
ｉｖ）ドット表示（奇数秒，偶数フレーム）
一方、検査モードだった場合、ステップＳ２０の表示モードのセット、つまり表示を下記の３種類の中からフレーム数，検査手順から算出し、ステップＳ２１のＬＣＤの表示を行う。
【００８０】
ｉ）ドット非表示
ｉｉ）ドット表示（奇数フレーム）
ｉｖ）ドット表示（偶数フレーム）
そして、ステップＳ２２の表示位置演算を行った後、メインルーチンに復帰する。
本実施の形態のランプ寿命計３における主要な特徴は、従来例のランプ寿命計８１が着脱自在のソケット６ａに着脱自在で、ランプ１１が点灯された時に、ソケット６ａの２端子間に微小な電流値の直流電圧が印加されるその時間を積算して、その積算時間をランプ寿命の目安としてＬＣＤ２６により電気的に表示する手段を電池３３の電源で動作するように構成したことである。
【００８１】
次にランプ寿命計３の動作について説明する。
ランプ寿命計３は光源装置本体２のランプ寿命計ソケット６ａに装着される。このランプ寿命計３は最初に使用する段階（工場出荷時）では電池３３の消耗を防止する為に図６に示す様に電池ホルダ４２内の電池３３と電極バネ５２ａの間に絶縁テープ４４が挿入されており、電源が遮断される様に開口部５５以外の位置が電池３３と電極バネ５２ａの間にある状態になっている。
【００８２】
ユーザが最初に光源装置本体２にて使用する際には前記絶縁テープ４４を抜き取る。この状態でランプ寿命計３は待機状態となる。図２においてＡＣ入力が供給され表示パネル１４上のランプ点灯用スイッチ（図示無し）がオンされると、制御ユニット１５によりランプ点灯回路１２に信号が出力されランプ１１が点灯する。
【００８３】
ランプ１１が点灯すると、前記ソケット６ａにはランプ寿命計３が装着されており、ランプ１１の点灯動作に連動して入力端子２４に正電位が供給される。入力端子２５はＧＮＤ電位である（入力端子２４に正電位が供給されるまではランプ寿命計３のＣＰＵ３１はスリープモード（待機状態）になっており、積算動作はしていない）。
【００８４】
前記入力端子２４に正電位が供給されるとＣＰＵ３１は積算動作を開始しＬＣＤ２６を点灯させる。通電初期の状態では積算時間は０時間であり、そこから通電時間の積算がスタートする。
【００８５】
本実施の形態での積算表示は図３に示す様に、ＬＣＤ２６のドットは全部で９ドットで構成されており、積算時間が３００時間までは１ドット／５０時間でＬＣＤドットが右へ１個ずつ移動する。  ３００時間から５００時間までは１ドット／１００時間でＬＣＤドットが右へ１個ずつ移動する。５００時間を越えると最上位（右）のドットが点灯する仕様になっている。
【００８６】
更に本実施の形態では電池３３の寿命を低減する為に、積算表示中のＬＣＤ２６は１秒間隔で点滅動作させている。これらの仕様は使用する機器の使用に応じて連続点灯あるいは、バー表示点灯するなどしてもよい。また、ＬＣＤ２６の表示はドットパターンに限らず、マトリクス表示や７セグメントによる数値表示でも対応は可能であることは言うまでも無い。
【００８７】
次に光源装置本体２のランプ点灯動作を終了すると、前記ランプ寿命計ソケット６ａに供給されている電源は遮断され、この信号を前記ＣＰＵ３１が認識しそこまでの積算時間をメモリ（例えば図１０のＲＡＭ６２）にバックアップし再びスリープモード（待機状態）に移行する。ＲＡＭ６２による積算時間のバックアップデータは電池３３により保持されている。
【００８８】
再度ランプ１１が点灯されると、前回バックアップされた積算時間から再度通電時間がカウントされ、連続的に累積時間をカウントし、表示することができる。
【００８９】
本実施の形態のランプ寿命計３は以下の特徴も備えている。
その特徴は電池３３を使用したランプ寿命計３に実用上の使い勝手を考慮し、使用しない場合（製造後、ユーザが使用するまでの間）に電池３３の消耗を防止する手段を設けた点で、具体的には内蔵電池３３と内部電池ホルダ４２の電極間に絶縁手段を設けた事と、更に製造上の効率も考慮しランプ寿命計３本体に動作チェック手段を設けたことである。
【００９０】
内蔵電池３３と内部電池ホルダ４２の電極間に絶縁手段を設けた実施の形態を図７で説明した。
図７に示すように絶縁テープ４４の開口部５５によりランプ寿命計３の製造過程において動作チェックをする為に一時的に内蔵電池３３と内部電池ホルダ４２の電極を導通させ、内部回路の動作をチェックするために使用される。動作チェックモードはあらかじめいくつかのテストプログラムがＣＰＵ３１内蔵のメモリ（例えば図１０のＰＲＯＭ６１）に格納されており、ＣＰＵ３１のチェック端子の選択によりモードが選べる様に構成されている。
【００９１】
製造過程において動作チェックを行う場合は前記絶縁テープ４４の開口部５５を通電位置になるようにランプ寿命計３を組み立てる。次に動作チェックモードを選択し動作チェックを終了させる。
【００９２】
次に更に絶縁テープ４４を引き抜き開口部５５以外の絶縁部分で停止させる。この状態でランプ寿命計３は電源がオフされすべてがリセットされ初期状態となる。
【００９３】
動作チェックモードとしてはＬＣＤ２６を順次点灯させ不良のセルが無いかをチェックする項目や、ランプ寿命計３単独で積算時間を表示させる項目などが盛り込まれている。
【００９４】
なお、図７（Ｄ）に示す絶縁テープ４４では一端５８を矢印型にした実施の形態であり、ユーザが使用する際に絶縁テープ４４を引き抜き易くしたものである（逆に引き抜き通電してしまうことの防止という効果がある）。
【００９５】
また、図７（Ｅ）は絶縁テープ４４の開口部５５の変わりに通電手段として導電部材５６を設けたことを特徴とした実施の形態であり、開口部５５を設けた物より強度的に向上しており、引き抜き等の際に破損しにくい効果がある。
【００９６】
また、図７（Ｅ）の絶縁テープ４４では更に、動作チェック後にこの絶縁テープ４４を引き抜き、導電部材５６以外の絶縁部分で停止させた後、導電部材５６を含む部分を切り取る為のミシン目５９を備えており、ユーザ等が誤操作をして電源を通電させてしまうことを防止できる構造になっている。
【００９７】
このような構成要件、動作により従来のランプ寿命計８１と互換性のあるランプ寿命計３を提供することができ、既存の光源装置本体２にそのまま使用することができ、安定したサービスを提供できる効果がある。
【００９８】
また、従来のランプ寿命計８１のみしか使用できない既存の光源装置本体２に対し、従来のランプ寿命計８１と互換性のあるランプ寿命計３を提供することにより、このランプ寿命計３で使用できる内視鏡光源装置１を提供できる。
【００９９】
また、本実施の形態はさらに以下の効果を有する。
【０１００】
（ａ）ランプ寿命の告知が可能（継続できる）である為、術中の不慮のランプ切れ等を回避できる。
（ｂ）ランプ寿命の告知が可能（継続できる）である為、常に安定、安心した状態で光源装置を含む内視鏡システムを使用できる。
【０１０１】
（ｃ）水銀を使用したランプ寿命計を使用しない為、環境保護に悪影響を与えない内視鏡システムの提供が可能である。
（ｄ）従来のランプ寿命計と互換性のあるランプ寿命計の提供が可能である為、現状の光源装置を設計変更せずに継続生産が可能である。
（ｅ）ランプ寿命計を使用しない場合（製品出荷直後）に内蔵電源の電源を遮断する手段を設けたことにより、電池の消耗を防止でき、長期間の使用が確保できる。
【０１０２】
（ｆ）ランプ寿命計の本体に動作チェック手段を設けたことにより、製造過程でのチェックが容易に行え生産効率が向上する。
（ｇ）ランプ寿命計の本体に動作チェック手段を設けたことにより、使用中の動作確認が容易に出来ユーザーに対して安定したサービスが実施できる。
【０１０３】
上述の実施の形態ではランプ１１の点灯時間を積算して、その積算時間を表示することにより、ランプ寿命を表示するようにしたが、最初にランプ１１の寿命と考えられる時間（例えば５００時間）からランプ１１の点灯時間を順次減らすような表示を行うことにより、残りの使用時間を表示するようにしても良い。
【０１０４】
また、ランプの種類により、点灯時間が異なる場合にも対応できるようにしても良い。この場合には、残りの使用時間を表示するようにすると、簡単に対応し易い。
つまり、使用するランプの寿命に応じて初期値の値をプログラムで設定することにより、対応できる。
【０１０５】
なお、本実施の形態では内視鏡用光源装置１に適用した場合について記載してあるが、ランプ寿命計３は通電時間を積算することが基本動作、仕様であり、他の分野（例えばコピー機のトナー交換の時期表示、ＶＴＲのヘッド寿命の指標、プロジェクタランプの寿命表示など）にも応用できる。
【０１０６】
［付記］
１．内視鏡に観察のための照明光を発生するランプと、該ランプを点灯させるランプ点灯電源を供給するランプ点灯回路とを有する内視鏡光源装置における前記ランプが点灯している時に２端子に微小な電流値の直流電圧を印加するランプ寿命計ソケットに着脱自在なランプ寿命計において、
前記ランプ寿命計ソケットの２端子にその直流電圧が印加された時間を検出してランプの寿命を表示する手段を電池を電源として形成したことを特徴とするランプ寿命計。
【０１０７】
２．内視鏡に観察のための照明光を発生するランプと、該ランプを点灯させるランプ点灯電源を供給するランプ点灯回路とを有する内視鏡光源装置における前記ランプが点灯している時に２端子に微小な電流値の直流電圧を印加するランプ寿命計ソケットに着脱自在なランプ寿命計において、
前記ランプ寿命計ソケットの２端子にその直流電圧が印加された時間を検出しててランプの寿命を表示する寿命表示デバイスと、該寿命表示デバイスを駆動する駆動回路と、前記寿命表示デバイス及び駆動回路に動作電源を供給する電池とを設けたことを特徴とするランプ寿命計。
【０１０８】
３．内視鏡に観察のための照明光を発生するランプと、該ランプを点灯させるランプ点灯電源を供給するランプ点灯回路と、前記ランプが点灯している時に２端子に微小な電流値の直流電圧を印加するランプ寿命計ソケットとを有する内視鏡光源装置において、
前記ランプ寿命計ソケットの２端子にその直流電圧が印加された時間にほぼ比例して電解液が移動することにより、ランプの寿命を表示する第１のランプ寿命計の代わりに、電池を電源として電気的にランプの寿命を表示する第２のランプ寿命計を着脱自在に設けたことを特徴とする内視鏡光源装置。
【０１０９】
４．内視鏡に観察光を供給する為の光源と、前記光源を点灯させる為の電源と、ランプが点灯している状態を出力するランプ点灯状態告知手段とを有し、前記ランプ点灯状態告知手段より出力される信号によりランプ点灯時間を電気的に積算する通電積算手段と、前記通電積算手段により得られた積算時間を表示する表示手段と、前記積算時間を記憶する為のメモリと、前記メモリに記憶された積算時間を保持するバックアップ手段とからなる内視鏡光源装置において、
前記通電積算手段と、積算時間を表示する表示手段と、積算時間を記憶する為のメモリと、前記メモリに記憶された積算時間を保持するバックアップ手段が前記内視鏡光源装置から着脱可能となるモジュールにより構成され、前記モジュールを駆動する電源が前記モジュール内に設けられたことを特徴とする内視鏡光源装置。
【０１１０】
５．内視鏡に観察光を供給する為の光源と、前記光源を点灯させる為の電源と、ランプが点灯している状態を出力するランプ点灯状態告知手段とを有し、前記ランプ点灯状態告知手段より出力される信号によりランプ点灯時間を電気的に積算する通電積算手段と、前記通電積算手段により得られた積算時間を表示する表示手段と、前記積算時間を記憶する為のメモリと、前記メモリに記憶された積算時間を保持するバックアップ手段とからなる内視鏡光源装置において、
前記通電積算手段と、積算時間を表示する表示手段と、積算時間を記憶する為のメモリと、前記メモリに記憶された積算時間を保持するバックアップ手段が前記内視鏡光源装置から着脱可能となるモジュールにより構成され、前記モジュールを駆動する電源が前記モジュール内に設けられ、更に前記電源の通電をオンオフする手段をモジュール内に設けたことを特徴とする内視鏡光源装置。
【０１１１】
６．内視鏡に観察光を供給する為の光源と、前記光源を点灯させる為の電源と、ランプが点灯している状態を出力するランプ点灯状態告知手段とを有し、前記ランプ点灯状態告知手段より出力される信号によりランプ点灯時間を電気的に積算し表示するモジュールが内視鏡光源装置と着脱可能に構成された内視鏡光源装置において、
前記モジュールには、少なくともモジュール内の回路を駆動する電源と、電源をオンオフする手段を有し、前記電源オンオフ手段は絶縁材による絶縁手段から構成されることを特徴とした内視鏡光源装置。
【０１１２】
７．付記６において電源オンオフ手段は絶縁材によるフィルム状部材からなることを特徴とする内視鏡光源装置。
８．付記６において電源オンオフ手段は絶縁材によるフィルム状部材からなり、前記フィルム状部材の少なくとも一部に電気的導電部を設けたことを特徴とする内視鏡光源装置。
【０１１３】
８．付記６において、電源オンオフ手段は絶縁材によるフィルム状部材からなり、前記フィルム状部材の少なくとも一端がオンオフ手段の動作方向を示す形状であることを特徴とする内視鏡光源装置。
９．付記６において、電源オンオフ手段は絶縁材によるフィルム状部材からなり、前記フィルム状部材の少なくとも一部が切り離し可能な構造を有していることを特徴とする内視鏡光源装置。
【０１１４】
１０．内視鏡に観察光を供給する為の光源と、前記光源を点灯させる為の電源と、ランプが点灯している状態を出力するランプ点灯状態告知手段とを有し、前記ランプ点灯状態告知手段より出力される信号によりランプ点灯時間を電気的に積算する通電積算手段と、前記通電積算手段により得られた積算時間を表示する表示手段と、前記積算時間を記憶する為のメモリと、前記メモリに記憶された積算時間を保持するバックアップ手段と、前記通電積算手段の動作等をチェックする手段とからなる内視鏡光源装置において、
前記通電積算手段と、積算時間を表示する表示手段と、積算時間を記憶する為のメモリと、前記メモリに記憶された積算時間を保持するバックアップ手段と、通電積算動作をチェックする手段が前記内視鏡光源装置から着脱可能となる一対のモジュールにより構成されたことを特徴とする内視鏡光源装置。
【０１１５】
１１．内視鏡に観察光を供給する為の光源と、前記光源を点灯させる為の電源と、ランプが点灯している状態を出力するランプ点灯状態告知手段とを有する内視鏡光源装置に使用されるランプ寿命計において、
前記ランプ寿命計は、前記ランプ点灯状態告知手段より出力される信号によりランプ点灯時間を電気的に積算する通電積算手段と、前記通電積算手段により得られた積算時間を表示する表示手段と、前記積算時間を記憶する為のメモリと、前記メモリに記憶された積算時間を保持するバックアップ手段と、前記通電積算手段の動作等をチェックする手段とからなるランプ寿命計。
【０１１６】
１２．内視鏡に観察光を供給する為の光源と、前記光源を点灯させる為の電源と、ランプが点灯している状態を出力するランプ点灯状態告知手段とを有する内視鏡光源装置に使用されるランプ寿命計において、
前記ランプ寿命計は、前記ランプ点灯状態告知手段より出力される信号によりランプ点灯時間を電気的に積算する通電積算手段と、前記通電積算手段により得られた積算時間を表示する表示手段と、前記積算時間を記憶する為のメモリと、前記メモリに記憶された積算時間を保持するバックアップ手段と、前記通電積算手段の動作等をチェックする手段と、前記ランプ寿命計を駆動する電源がランプ寿命計内に設けられ、更に前記電源の通電をオンオフする手段をランプ寿命計本体に設けたことを特徴とするランプ寿命計。
【０１１７】
【発明の効果】
以上説明したように本発明によれば、内視鏡に観察のための照明光を発生するランプと、該ランプを点灯させるランプ点灯電源を供給するランプ点灯回路とを有する内視鏡光源装置における前記ランプが点灯している時に２端子に微小な電流値の直流電圧を印加するランプ寿命計ソケットに着脱自在なランプ寿命計において、
前記ランプ寿命計ソケットの２端子にその直流電圧が印加された時間を検出してランプの寿命を表示する手段を電池を電源として形成しているので、従来のランプ寿命計と互換性のあるランプ寿命計を提供できる。
【０１１８】
また、内視鏡に観察のための照明光を発生するランプと、該ランプを点灯させるランプ点灯電源を供給するランプ点灯回路と、前記ランプが点灯している時に２端子に微小な電流値の直流電圧を印加するランプ寿命計ソケットとを有する内視鏡光源装置において、
前記ランプ寿命計ソケットの２端子にその直流電圧が印加された時間にほぼ比例して電解液が移動することにより、ランプの寿命を表示する第１のランプ寿命計の代わりに、電池を電源として電気的にランプの寿命を表示する第２のランプ寿命計を着脱自在に設けているので、従来のランプ寿命計と互換性のあるランプ寿命計を装着して使用できる内視鏡光源装置を提供できる。
【図面の簡単な説明】
【図１】本発明の第１の実施の形態を備えた内視鏡光源装置の外観図。
【図２】内視鏡光源装置本体の全体構成図。
【図３】ランプ寿命計の外観等を示す図。
【図４】ランプ寿命計の電気系の概略の構成を示すブロック図。
【図５】ランプ寿命計の内部構成等を示す図。
【図６】電池ホルダの構成を示す図。
【図７】電池と電池ホルダとを絶縁する構造等を示す図。
【図８】ランプ点灯回路の具体的回路構成を示す回路図。
【図９】ワンチップ・マイコンを用いたランプ寿命計の具体的な構成を示す配線図。
【図１０】ワンチップ・マイコンの内部構成を示すブロック図。
【図１１】ＬＣＤの駆動動作例を示す説明図。
【図１２】通常モードでのＬＣＤ表示例を示す図。
【図１３】検査モードでのＬＣＤ表示例を示す図。
【図１４】メインルーチンの処理内容を示すフローチャート図。
【図１５】タイマ割り込みルーチンの処理内容を示すフローチャート図。
【図１６】従来例のランプ寿命計を示す図。
【図１７】従来例のランプ寿命計の動作原理を示す図。
【符号の説明】
１…内視鏡光源装置
２…光源装置本体
３…ランプ寿命計
４…コネクタ受け
５…ライトガイド
６ａ，６ｂ…ランプ寿命計ソケット
１１…ランプ
１２…ランプ点灯回路
１３…電源回路
１４…表示パネル
１５…制御ユニット
１６…コンデンサレンズ
２１…上カバー
２２…下カバー
２４、２５…入力端子
２６…ＬＣＤ
２７…ドット表示部
３１…ＣＰＵ
３２…発振器
３３…電池
３４，３５…チェック端子
４０…導電ゴム
４１…基板
４２…電池ホルダ
４４…絶縁テープ
５１…電池ホルダ本体
５２ａ，５２ｂ…電極バネ
５４…テープ挿入孔
５５…開口部
５６…導電部材
【図１】
0003556508.tif 000002
【図２】
0003556508.tif 000003
【図３】
0003556508.tif 000004
【図４】
0003556508.tif 000005
【図５】
0003556508.tif 000006
【図６】
0003556508.tif 000007
【図７】
0003556508.tif 000008
【図８】
0003556508.tif 000009
【図９】
0003556508.tif 000010
【図１０】
0003556508.tif 000011
【図１１】
0003556508.tif 000012
【図１２】
0003556508.tif 000013
【図１３】
0003556508.tif 000014
【図１４】
0003556508.tif 000015
【図１５】
0003556508.tif 000016
【図１６】
0003556508.tif 000017
【図１７】
0003556508.tif 000018